(57)【要約】【課題】ペンダントトップの装着、互換、ネックレス基体の止め具への装着等が、容易に行え、爪掛溝部を利用して止め具に差込み貫通状態のスライドピンを簡単に引き抜け、ペンダントトップを手軽に組合せでき、手持ちのネックレス基体やペンダントトップを有効的に活用でき、お洒落を楽しめ、構成簡素で、製造し易く、取扱い易く、外観上の体裁が良く、経済的にも優れたペンダントトップを有するネックレスを提供する。【解決手段】  ネックレス基体ＡとペンダントトップＥと止め具ＣとスライドピンＢとを備え、止め具Ｃは外殻体５と弾性パイプ７とを備え、スライドピンＢは、止め具Ｃを貫通する長さで、バチカン１５或いは取付孔や、止め具Ｃの透孔６や、弾性パイプ７に設けた貫通孔８を、挿通可能に形成し、更に、軸部１と、先端の先行ガイド部２と、基端部分の取付部３とからなり、軸部１の先端寄り外表面部分に爪掛溝部４を周設する。【選択図】図２
0003118666.tif 000002
【実用新案登録請求の範囲】
【請求項１】
ネックレス基体と、バチカン或いは取付孔等を介してネックレス基体に装着されるペンダントトップと、ネックレス基体の一端部分が直接的に或いは間接的に固定されると共に、ネックレス基体の他端部分が着脱自在に装着され、且つネックレス基体を任意の位置で保持可能となるよう形成される止め具と、ネックレス基体の他端部分に延設されるスライドピンとを備えたネックレスであって、止め具は、少なくとも一対の透孔を有する外殻体と、この外殻体に内装される弾性パイプとを備え、スライドピンは、止め具を貫通できるような長さに形成され、ペンダントトップのバチカン或いは取付孔や、止め具の透孔や、弾性パイプに設けられた貫通孔を、挿通可能となるように形成され、更に、スライドピンは、長尺な軸部と、この軸部の先端に形成される先行ガイド部と、軸部の基端部分に連設される取付部とからなり、軸部の先端寄り外表面部分に爪掛溝部を周設したことを特徴とするペンダントトップを有するネックレス。
【請求項２】
止め具とネックレス基体の一端部分との間に摘み部を介装し、この摘み部は、表示プレートと、この表示プレートの両端部分に装着されるリングとにより構成し、表示プレート表面には適宜表示を施せるように構成したことを特徴とする請求項１記載のペンダントトップを有するネックレス。
【請求項３】
スライドピンの取付部は、略長円薄板状に形成されると共に、その幅が軸部の径より僅かに大きくなるように形成したことを特徴とする請求項１または請求項２記載のペンダントトップを有するネックレス。
【考案の詳細な説明】
【技術分野】
【０００１】
本考案は、ペンダントトップを有するネックレスに於いて、例えば、装身用鎖・チェーン等で構成されているネックレス基体に適宜ペンダントトップを装着する作業や、ペンダントトップを互換装着する作業や、ネックレス基体の端部を止め具へ装着する作業等が、誰でも容易に行えるようにして、服装や気分等に応じて好みのペンダントトップを、ネックレス基体に手軽に組合せて楽しめるように工夫したペンダントトップを有するネックレスに関するものである。
【背景技術】
【０００２】
従来、この種のペンダントトップを有するネックレスにあっては、種々のものが提供されている。
例えば、一般的に提供されているものとしては、特許文献１に示すように、装身用鎖・チェーン等で構成されているネックレス本体を、ペンダントトップのバチカンに挿通し、ネックレス本体の両端部に、これらを分離自在に連結する係止具を連結して構成されたものが数多くある。
しかしながら、最近のペンダントトップを有するネックレスにあっては、ペンダントトップのバチカンや取付孔等を小さく形成する傾向にあり、これらを小さくした場合に、係止具を通過させることができなかったり、或いは、通過させ難くなったりして、ペンダントトップのネックレス本体への装着（取外し）や、ペンダントトップの互換装着等を簡単に行うことができない難点等が生じるようになった。
すなわち、メーカーに於いてペンダントトップを有するネックレスを製造する時や、ユーザーに於いてペンダントトップを互換装着する時に、その作業が簡単に且つ迅速に行い難いものとなっている。しかも、作業をするための工具等（例えば、係止具を連結している丸カン等を取外したり、装着したりできる工具）も必要であった。
【０００３】
そこで、本願出願人は、特許文献２に示すようなペンダントトップを有するネックレスを提案することとなった。これは、ネックレス基体と、バチカン或いは取付孔等を介してネックレス基体に装着されるペンダントトップと、ネックレス基体の一端部分に装着される係止具と、この係止具とネックレス基体の他端とを連結する止め具とを備えたネックレスに於いて、止め具は、少なくとも一対の透孔を有する外殻体と、この外殻体に内装される弾性パイプとを備え、ネックレス基体の他端にはスライドピンを延設し、このスライドピンは、止め具本体を貫通できるような長さに形成され、ペンダントトップのバチカン或いは取付孔や、止め具の透孔や、弾性パイプに設けられた貫通孔を、スライドピンが挿通可能となるように構成したものである。
【０００４】
【特許文献１】実開平６−５５１６号（図３）
【特許文献２】実用新案登録第３１１４６３３号
【考案の開示】
【考案が解決しようとする課題】
【０００５】
そして、前述の如きペンダントトップを有するネックレスにより、従来品の難点等を確実に解消できるようになったが、本願出願人は、これに満足することなく、より優れたペンダントトップを有するネックレスを提供できるようにすべく研究・開発を継続していたものである。
すなわち、構成がより簡素となるようにし、より取扱い易く、経済的にもより優れたペンダントトップを有するネックレスを提供できるようにすべく本考案が案出されるようになった。
【課題を解決するための手段】
【０００６】
しかして、前述の如き課題を達成できるようにすべく、請求項１記載のペンダントトップを有するネックレスにあっては、ネックレス基体Ａと、バチカン１５或いは取付孔等を介してネックレス基体Ａに装着されるペンダントトップＥと、ネックレス基体Ａの一端部分が直接的に或いは間接的に固定されると共に、ネックレス基体Ａの他端部分が着脱自在に装着され、且つネックレス基体Ａを任意の位置で保持可能となるよう形成される止め具Ｃと、ネックレス基体Ａの他端部分に延設されるスライドピンＢとを備えたネックレスであって、止め具Ｃは、少なくとも一対の透孔６を有する外殻体５と、この外殻体５に内装される弾性パイプ７とを備え、スライドピンＢは、止め具Ｃを貫通できるような長さに形成され、ペンダントトップＥのバチカン１５或いは取付孔や、止め具Ｃの透孔６や、弾性パイプ７に設けられた貫通孔８を、挿通可能となるように形成され、更に、スライドピンＢは、長尺な軸部１と、この軸部１の先端に形成される先行ガイド部２と、軸部１の基端部分に連設される取付部３とからなり、軸部１の先端寄り外表面部分に爪掛溝部４を周設する手段を採用した。
【０００７】
また、請求項２記載のペンダントトップを有するネックレスにあっては、止め具Ｃとネックレス基体Ａの一端部分との間に摘み部Ｄを介装し、この摘み部Ｄは、表示プレート１０と、この表示プレート１０の両端部分に装着されるリング１１とにより構成し、表示プレート１０表面には適宜表示を施せるように構成する手段を採用した。
【０００８】
更に、請求項３記載のペンダントトップを有するネックレスにあっては、スライドピンＢの取付部３は、略長円薄板状に形成されると共に、その幅が軸部１の径より僅かに大きくなるように形成する手段を採用した。
【考案の効果】
【０００９】
従って、請求項１記載のペンダントトップを有するネックレスによれば、ネックレス基体Ａに適宜ペンダントトップＥを装着する作業や、ペンダントトップＥを互換装着する作業や、ネックレス基体Ａの他端部を止め具Ｃへ装着する作業等が、誰でも容易に行えるようになる。ひいては、ユーザーが服装や気分等に応じて好みのペンダントトップＥをネックレス基体Ａに手軽に組合せでき、手持ちのネックレス基体ＡやペンダントトップＥを有効的に活用できて経済的となり、お洒落をより楽しめるようになる。
【００１０】
しかも、ペンダントトップＥのバチカン１５や取付孔等が小さい場合でも、スライドピンＢを利用して、バチカン１５や取付孔等にネックレス基体Ａを通過させることができ、ペンダントトップＥのネックレス基体Ａへの装着（取外し）や、ペンダントトップＥの互換装着等を簡単に行うことができるようになる。
【００１１】
すなわち、メーカーに於いてペンダントトップＥを有するネックレスを製造する時や、ユーザーに於いてペンダントトップＥを互換装着する時に、その作業が誰でも簡単に且つ迅速に行えるようになり、更に、作業をするための工具等も一切不要である。
【００１２】
加えて、引輪等の係止具が不要となり、構成がより簡素で、製造し易く、より取扱い易くなり、外観上の体裁が良く、経済的にもより優れたペンダントトップを有するネックレスとなる。
【００１３】
特に、スライドピンＢの軸部１の先端寄り外表面部分に爪掛溝部４を周設したので、爪掛溝部４に爪を掛け易くなり、例えば、止め具Ｃに差込んで貫通状態としたスライドピンＢを、爪掛溝部４に爪を掛けて先端がわに簡単に引き抜くことができるようになる。すなわち、滑ることなく小さなスライドピンＢを取扱えるようになる。
【００１４】
また、請求項２記載のペンダントトップを有するネックレスによれば、摘み部Ｄを手指で摘み易くなり、その取扱いが容易となる。
【００１５】
特に、止め具ＣにスライドピンＢを貫通させるときや、止め具Ｃからネックレス基体Ａ及びスライドピンＢを引き抜くときに、小さな止め具Ｃを手指で安定的に保持し易いものとなる。
【００１６】
加えて、表示プレート１０の表面に適宜表示を簡単に施せるようになり、使い勝手の優れたものとなる。
【００１７】
更に、請求項３記載のペンダントトップを有するネックレスによれば、弾性パイプ７の貫通孔８と、スライドピンＢの取付部３とに於いて、軸部１が貫通孔８を移動する時よりも取付部３が貫通孔８を移動するときの抵抗が若干増すようになり、例えば、不意の外力等がネックレス基体Ａに作用したときに、スライドピンＢが止め具Ｃから僅かな力で簡単に抜けてしまうような虞のないものとなる。
【００１８】
しかも、スライドピンＢの取付部３は、略長円薄板状に形成されるので、スライドピンＢの基端部分をプレスすることで取付部３を簡単に形成できるようになる。
【考案を実施するための最良の形態】
【００１９】
以下、本考案を図示例に基づいて説明すると、次の通りである。
本考案のペンダントトップＥを有するネックレスは、具体的には、装身用鎖・チェーンや、装身用紐等の如き比較的細くて長尺で綺麗な適宜ネックレス基体Ａと、バチカン１５或いは取付孔等を介してネックレス基体Ａに装着される適宜ペンダントトップＥと、ネックレス基体Ａの一端部分に直接的に或いは摘み部Ｄを介して装着される止め具Ｃと、ネックレス基体Ａの他端部分に延設されるスライドピンＢとを備えたものである。
そして、止め具Ｃは、略中空状の外殻体５と、この外殻体５に内装される弾性パイプ７とを備え、外殻体５には、対向位置に配される少なくとも一対の透孔６が穿設され、弾性パイプ７には、その中心部分に貫通孔８が設けられている。すなわち、一対の透孔６は、ネックレス基体Ａをスムーズに挿通できるように形成され、貫通孔８は、ネックレス基体Ａを挿通できると共に、その内周壁面でネックレス基体Ａを弾性的に圧迫して、ネックレス基体Ａを任意の位置で保持できるように形成されている。
更に、スライドピンＢは、止め具本体Ｄ１を貫通できるような長さに形成され、ペンダントトップＥのバチカン１５或いは取付孔（及び止め具Ｃの透孔６や、弾性パイプ７に設けられた貫通孔８）を、スライドピンＢが挿通可能となるように構成されている。
しかも、スライドピンＢは、軸部１と、この軸部１の先端部分に形成される先行ガイド部２と、軸部１の基端部分に連設される取付部３とからなり、軸部１を略細長円柱状に形成し（或いは、軸心方向に沿って比較的緩やかな略波形状に形成し）、先行ガイド部２を略半球形状に形成し、軸部１の先端寄り外表面部分には、爪掛溝部４が周設されている。
【実施例】
【００２０】
前記ネックレス基体Ａは、例えば、適宜貴金属製のもの（或いは、適宜金属材に貴金属メッキを施したもの）や、適宜合成樹脂製のものや、適宜複合材を利用したものや、種々の材質からなるパーツを組合わせたもの等が利用され、しかも、装身用鎖・チェーン状に形成されたものや、装身用紐状に形成されたものや、その他適宜構成のものでも良い。ただし、ペンダントトップＥのバチカン１５或いは取付孔や、止め具Ｃの透孔６や、弾性パイプ７に設けられた貫通孔８に挿通されることから、比較的細くて凹凸状態が激しくないもの（極端に突出した部分がないこと）が好ましい（図１、図２参照）。
【００２１】
スライドピンＢは、例えば、適宜貴金属製のもの（或いは、適宜金属材に貴金属メッキを施したもの）や、適宜合成樹脂製のものや、適宜複合材を利用したもの等が利用され、しかも、略細長円柱状の軸部１と、この軸部１の先端部分に一体的に連設される略半球形状の先行ガイド部２と、軸部１の基端部分に一体的に連設される略長円薄板状の取付部３とからなっている（図２参照）。
【００２２】
ところで、前記軸部１は、軸心方向に沿って比較的緩やかな略波形状に形成して、貫通孔８と軸部１との関係に於いて、軸部１が移動（摺動）する時の抵抗が若干増すように構成してあっても良い（図示せず）。
【００２３】
尚、前記先行ガイド部２は、スライドピンＢの先端部分が、ペンダントトップＥのバチカン１５或いはペンダントトップＥに設けた取付孔や、止め具Ｃの透孔６や、弾性パイプ７の貫通孔８にスムーズに進入できて、しかも、スライドピンＢ先端によって人体を損傷するようなことがないように構成されたものであれば良い。
【００２４】
また、前記取付部３は、例えば、略長円薄板状に形成されると共に、その適宜位置にリング等の取付孔が穿設されており、しかも、その幅が軸部１の径より僅かに大きくなるように形成されている。すなわち、スライドピンＢの基端部分をプレスすることで取付部３が簡単に設けられるように形成されている。更に、取付部３は、軸部１が貫通孔８を移動する時よりも取付部３が貫通孔８を移動するときの抵抗が若干増すように形成されており、不意の外力等がネックレス基体Ａに作用したときに、スライドピンＢが止め具Ｃから僅かな力で簡単に抜けてしまわないように形成されている。
【００２５】
前記止め具Ｃは、例えば、適宜貴金属製のもの（或いは、適宜金属材に貴金属メッキを施したもの）や、適宜合成樹脂製のものや、適宜複合材を利用したものや、その他の適宜材料によって構成される略中空球形状の外殻体５と、適宜弾性材によって略厚肉円筒状に形成される弾性パイプ７とで構成されている。
【００２６】
そして、前記外殻体５には、例えば、その対向位置に一対の透孔６が穿設され、その外表面の適宜位置（例えば、一対の透孔６の中間部分）には、略小リング状の取付部９が溶着手段等によって連設されている。
【００２７】
また、前記弾性パイプ７は、例えば、その貫通孔８が外殻体５の一対の透孔６に臨むように配されている。しかも、弾性パイプ７の両端面の外周縁部分が外殻体５の内表面に接触した状態で、外殻体５に安定的に内装されている。すなわち、弾性パイプ７自身の弾性変形が大きく且つ無理なく行えるようになって、ネックレス基体Ａを無理なく圧迫できるように構成されている（図２参照）。
【００２８】
前記摘み部Ｄは、例えば、止め具Ｃ（取付部９）とネックレス基体Ａの一端部分との間に介装されており、略長円薄板状の表示プレート１０と、この表示プレート１０の両端部分に穿設した取付孔に夫々装着されるリング１１とにより構成されている。
そして、表示プレート１０は、例えば、適宜貴金属製のもの（或いは、適宜金属材に貴金属メッキを施したもの）や、適宜合成樹脂製のものや、適宜複合材を利用したもの等が利用され、その表面には適宜表示（例えば、商品名や、材質、品質、金の含有量、メッセージ等）が施せるようになっている。
【００２９】
前記ペンダントトップＥは、例えば、適宜材料を利用して形成することができるものであり、その上部に取付けられる適宜バチカン１５や、自身に設けられる適宜取付孔等を介してネックレス基体Ａに互換装着できるように構成されている。
【００３０】
ところで、ペンダントトップを有するネックレスの具体的構成、形状、寸法、材質、ネックレス基体Ａの具体的構成、形状、寸法、材質、スライドピンＢの具体的構成、形状、寸法、材質、止め具Ｃの具体的構成、形状、寸法、材質、摘み部Ｄの具体的構成、形状、寸法、材質、ペンダントトップＥの具体的構成、形状、寸法、材質、数、軸部１の具体的構成、形状、寸法、材質、先行ガイド部２の具体的構成、形状、寸法、材質、取付部３の具体的構成、形状、寸法、材質、爪掛溝部４の具体的構成、形状、寸法、配設位置、数、外殻体５の具体的構成、形状、寸法、材質、透孔６の具体的構成、形状、寸法、数、配設位置、弾性パイプ７の具体的構成、形状、寸法、材質、配設状態、貫通孔８の具体的構成、形状、寸法、数、取付部９の具体的構成、形状、寸法、材質、数、配設位置、表示プレート１０の具体的構成、形状、寸法、材質、リング１１の具体的構成、形状、寸法、材質、バチカン１５の具体的構成、形状、寸法、材質等は図示例のもの等に限定されることなく適宜自由に設定、変更できるものである。
【図面の簡単な説明】
【００３１】
【図１】本考案のネックレスを例示する一部を省略した正面図である。
【図２】本考案のネックレスを例示する一部を省略した部分切欠正面図である。
【符号の説明】
【００３２】
Ａ    ネックレス基体
Ｂ    スライドピン
Ｃ    止め具
Ｄ    摘み部
Ｅ    ペンダントトップ
１    軸部
２    先行ガイド部
３    取付部
４    爪掛溝部
５    外殻体
６    透孔
７    弾性パイプ
８    貫通孔
９    取付部
１０  表示プレート
１１  リング
１５  バチカン
【図１】
0003118666.tif 000003
【図２】
0003118666.tif 000004